【手続補正書】
【提出日】平成18年3月22日(2006.3.22)
【手続補正１】
【補正対象書類名】特許請求の範囲
【補正対象項目名】全文
【補正方法】変更
【補正の内容】
【特許請求の範囲】
【請求項１】
プロジェクタであって、
当該プロジェクタが表示する画像に基づいてプレビューイメージを生成するプレビューイメージ生成手段と、
前記プレビューイメージをネットワーク経由でコンピュータに送信するプレビューイメージ送信手段と、を有することを特徴とする、プロジェクタ。
【請求項２】
請求項１記載のプロジェクタであって、
前記コンピュータから前記ネットワーク経由で前記プレビューイメージを要求するプレビューイメージ要求コマンドを受信したことに基づいて、前記プレビューイメージ送信手段は前記プレビューイメージを前記ネットワーク経由で前記コンピュータに送信することを特徴とする、プロジェクタ。
【請求項３】
請求項１又は請求項２記載のプロジェクタであって、さらに、
当該プロジェクタのプロジェクタ情報を保存するプロジェクタ情報部と、
前記プロジェクタ情報を前記ネットワーク経由で前記コンピュータに送信する検索応答手段と、を有することを特徴とする、プロジェクタ。
【請求項４】
請求項３記載のプロジェクタであって、
前記コンピュータから前記ネットワーク経由で検索コマンドを受信したことに基づいて、前記検索応答手段は前記プロジェクタ情報を前記ネットワーク経由で前記コンピュータに送信することを特徴とする、プロジェクタ。
【請求項５】
請求項３又は請求項４記載のプロジェクタであって、
前記プロジェクタ情報が前記プロジェクタのプロジェクタ名を含むことを特徴とする、プロジェクタ。
【請求項６】
請求項３乃至請求項５のいずれかに記載のプロジェクタであって、
前記プロジェクタ情報が前記プロジェクタのInternet Protocol (ＩＰ)アドレスを含むことを特徴とする、プロジェクタ。
【請求項７】
請求項３乃至請求項６のいずれかに記載のプロジェクタであって、
前記プロジェクタ情報が前記プロジェクタのステータスを含むことを特徴とする、プロジェクタ。
【請求項８】
請求項７に記載のプロジェクタであって、
前記ステータスが前記プロジェクタにおける表示の有無を含むことを特徴とする、プロジェクタ。
【請求項９】
請求項１乃至請求項８のいずれかに記載のプロジェクタであって、さらに、
前記コンピュータから前記ネットワーク経由で受信した識別子を表示する識別子表示手段を有することを特徴とする、プロジェクタ。
【請求項１０】
請求項１乃至請求項８のいずれかに記載のプロジェクタであって、さらに、
前記プロジェクタのＩＰアドレスを表示するＩＰアドレス表示手段を有することを特徴とする、プロジェクタ。
【請求項１１】
プロジェクタから当該プロジェクタが表示する画像に基づいて生成されたプレビューイメージをネットワーク経由で取得するプレビューイメージ要求手段と、
前記プレビューイメージを表示するダイアログ表示部と、を有することを特徴とする、コンピュータ。
【請求項１２】
請求項１１に記載のコンピュータであって、
前記プレビューイメージ要求手段は前記プレビューイメージを要求するプレビューイメージ要求コマンドを前記ネットワーク経由で前記プロジェクタに送信することを特徴とする、コンピュータ。
【請求項１３】
請求項１１又は請求項１２記載のコンピュータであって、さらに、
前記プロジェクタから前記ネットワーク経由で前記プロジェクタのプロジェクタ情報を取得するプロジェクタ検索手段を有し、
前記ダイアログ表示部は前記プロジェクタ情報を表示することを特徴とする、コンピュータ。
【請求項１４】
請求項１３記載のコンピュータであって、
前記プロジェクタ検索手段は、前記プロジェクタ情報を要求する検索コマンドを前記ネットワーク経由で前記プロジェクタに送信することを特徴とする、コンピュータ。
【請求項１５】
請求項１３又は請求項１４記載のコンピュータであって、
前記プロジェクタ情報が前記プロジェクタのプロジェクタ名を含むことを特徴とする、コンピュータ。
【請求項１６】
請求項１３乃至請求項１５のいずれかに記載のコンピュータであって、
前記プロジェクタ情報が前記プロジェクタのＩＰアドレスを含むことを特徴とする、コンピュータ。
【請求項１７】
請求項１３乃至請求項１６のいずれかに記載のコンピュータであって、
前記プロジェクタ情報が前記プロジェクタのステータスを含むことを特徴とする、コンピュータ。
【請求項１８】
請求項１７に記載のコンピュータであって、
前記ステータスが前記プロジェクタにおける表示の有無を含むことを特徴とする、コンピュータ。
【請求項１９】
請求項１１乃至請求項１８のいずれかに記載のコンピュータであって、さらに、
前記プロジェクタに前記ネットワーク経由で識別子を送信する識別子割当手段を有することを特徴とする、コンピュータ。
【請求項２０】
請求項１９に記載のコンピュータであって、
前記識別子割当手段は前記プロジェクタが表示を行なっていない場合に前記識別子を送信することを特徴とする、コンピュータ。
【請求項２１】
プロジェクタからネットワーク経由で当該プロジェクタが表示する画像に基づいて生成されたプレビューイメージを取得するステップと、
前記プレビューイメージを表示するステップと、を有することを特徴とする、プログラム。
【請求項２２】
請求項２１に記載のプログラムであって、さらに、
前記プレビューイメージを要求するプレビューイメージ要求コマンドを前記ネットワーク経由で前記プロジェクタに送信するステップを有することを特徴とする、プログラム。
【請求項２３】
請求項２１又は請求項２２記載のプログラムであって、さらに、
前記プロジェクタから前記ネットワーク経由で前記プロジェクタのプロジェクタ情報を取得するステップと、
前記プロジェクタ情報を表示するステップと、を有することを特徴とする、プログラム。
【請求項２４】
請求項２３記載のプログラムであって、さらに、
前記プロジェクタ情報を要求する検索コマンドを前記ネットワーク経由で前記プロジェクタに送信するステップを有することを特徴とする、プログラム。
【請求項２５】
請求項２３又は請求項２４記載のプログラムであって、
前記プロジェクタ情報が前記プロジェクタのプロジェクタ名を含むことを特徴とする、プログラム。
【請求項２６】
請求項２３乃至請求項２５のいずれかに記載のプログラムであって、
前記プロジェクタ情報が前記プロジェクタのInternet Protocol (ＩＰ)アドレスを含むことを特徴とする、プログラム。
【請求項２７】
請求項２３乃至請求項２６のいずれかに記載のプログラムであって、
前記プロジェクタ情報が前記プロジェクタのステータスを含むことを特徴とする、プログラム。
【請求項２８】
請求項２７に記載のプログラムであって、
前記ステータスが前記プロジェクタにおける表示の有無を含むことを特徴とする、プログラム。
【請求項２９】
請求項２１乃至請求項２８のいずれかに記載のプログラムであって、さらに、
前記プロジェクタに前記ネットワーク経由で識別子を送信する識別子送信ステップを有することを特徴とする、プログラム。
【請求項３０】
請求項２９に記載のプログラムであって、さらに、
前記プロジェクタが表示を行なっているか否か判断する判断ステップを有し、
前記判断ステップにおいて前記プロジェクタが表示を行なっていないと判断する場合に前記識別子送信ステップにおいて識別子を送信することを特徴とする、プログラム。
【請求項３１】
ネットワークで相互に接続された少なくとも二つのプロジェクタと少なくとも一つのコンピュータとからなるプロジェクションシステムであって、
前記二つのプロジェクタは、いずれも、
当該プロジェクタが表示する画像に基づいてプレビューイメージを生成するプレビューイメージ生成手段と、
前記プレビューイメージをネットワーク経由でコンピュータに送信するプレビューイメージ送信手段と、を有し、
前記一つのコンピュータは、
前記プロジェクタから前記プレビューイメージをネットワーク経由で取得するプレビューイメージ要求手段と、
前記プレビューイメージを表示するダイアログ表示部と、を有することを特徴とする、プロジェクションシステム。